(57)【要約】  本発明の掃除機は、吸入力を発生させる吸入モータ；前記吸入力によって吸入された空気から塵埃を分離する塵埃分離部；前記吸入モータを囲むモータハウジング；前記モータハウジングの外側を囲み、前記塵埃分離部から排出された空気を前記吸入モータに案内する流動ガイド；及び前記流動ガイドを囲み、前記流動ガイドとともに前記吸入モータから排出された空気を案内するボディーを備える。  【選択図】図１
2019508117.tif 000002
【特許請求の範囲】
【請求項１】
掃除機であって、
吸入力を発生させる吸入モータ；
前記吸入力によって吸入された空気から塵埃を分離する塵埃分離部；
前記吸入モータを囲むモータハウジング；
前記モータハウジングの外側を囲み、前記塵埃分離部から排出された空気を前記吸入モータに案内する流動ガイド；及び
前記流動ガイドを囲み、前記流動ガイドとともに前記吸入モータから排出された空気を案内するボディーを備えてなる、掃除機。
【請求項２】
前記流動ガイドの内周面と前記モータハウジングとの間に、前記吸入モータに空気を案内する第１空気流路が形成され、
前記流動ガイドの外周面と前記ボディーとの間に、前記吸入モータから排出された空気が流動する第２空気流路が形成された、請求項１に記載の掃除機。
【請求項３】
前記流動ガイドは、上側及び下側が開口されるガイドボディーを備え、
前記ガイドボディーには、外側に突出して前記第１空気流路の一部を形成する流路形成壁が備えられる、請求項２に記載の掃除機。
【請求項４】
前記流路形成壁には、前記ボディーに外力が加えられる場合、前記ボディーの変形を制限するために前記ボディーに向かって延びる補強リブが備えられる、請求項３に記載の掃除機。
【請求項５】
前記ガイドボディー内に収容され、前記モータハウジングを囲むように配置されるプレフィルターを更に備えてなる、請求項３に記載の掃除機。
【請求項６】
前記吸入モータは、回転動作するインペラを備え、
前記インペラが前記吸入モータの上側に位置するように前記吸入モータが配置され、
前記プレフィルターは、前記吸入モータのインペラをカバーする、請求項５に記載の掃除機。
【請求項７】
前記ガイドボディーの内周面には、前記プレフィルターを支持するためのフィルター支持部が備えられる、請求項５に記載の掃除機。
【請求項８】
前記モータハウジングは、前記プレフィルターを支持するためのフィルター支持部を備えてなる、請求項７に記載の掃除機。
【請求項９】
前記吸入モータから排出された空気をフィルタリングするフィルター機構をさらに備え、
前記フィルター機構は、前記プレフィルターの移動が防止されるように前記プレフィルターを加圧する、請求項５に記載の掃除機。
【請求項１０】
前記吸入モータから排出された空気をフィルタリングするためのフィルターと、前記フィルターを収容するフィルターフレームとを備えるフィルター機構をさらに備え、
前記フィルターフレームは、前記ボディーと前記流動ガイドに挿入された状態で前記フィルターフレームは前記流動ガイドに固定される、請求項１に記載の掃除機。
【請求項１１】
前記流動ガイドの外周面には固定リブが形成され、
前記フィルターフレームには、前記固定リブが収容されるリブ収容部が備えられる、請求項１０に記載の掃除機。
【請求項１２】
前記フィルターフレームが前記流動ガイドに固定された状態で、前記流動ガイドの一部は前記フィルターフレームに収容され、
前記フィルターフレームには、前記流動ガイドの外周面と前記フィルターフレームの内周面との間に空気が漏洩することを防止するためのインナーシーリング部材が備えられる、請求項１０に記載の掃除機。
【請求項１３】
前記インナーシーリング部材は、前記流動ガイドの上端に安着される、請求項１２に記載の掃除機。
【請求項１４】
前記モータハウジングは、前記吸入モータを囲んで前記流動ガイドとともに前記第１空気流路を形成する上部モータハウジングと、
前記上部モータハウジングと結合され、前記吸入モータから排出された空気を前記第２空気流路に案内する空気ガイドを備える下部モータハウジングとを備えてなる、請求項２に記載の掃除機。
【請求項１５】
前記流動ガイドは、締結部材によって前記モータハウジングに締結される、請求項１に記載の掃除機。
【請求項１６】
長さ方向軸を有する吸入部；
前記吸入部を通じて空気が吸入されるための吸入力を発生させる吸入モータ；
前記吸入モータの下方に位置し、前記吸入力によって吸入された空気から塵埃を分離する塵埃分離部；
前記吸入部の長さ方向軸が水平をなす状態で、前記吸入モータの上方に備えられる空気排出口；及び
前記塵埃分離部から分離された空気を前記吸入モータ側の上方に案内し、前記吸入モータを通過した空気を前記空気排出口側の上方に案内する流動ガイドを備えてなる、掃除機。
【請求項１７】
前記流動ガイドは、前記吸入モータの少なくとも一部を囲むように配置され、
前記流動ガイドの内周面は、前記塵埃分離部から空気を上方に案内し、前記流動ガイドの外周面は、前記吸入モータを通過した空気を上方に案内する、請求項１６に記載の掃除機。
【発明の詳細な説明】
【技術分野】
【０００１】
本明細書は、掃除機に関する。
【背景技術】
【０００２】
掃除機は、ユーザが掃除機を直接移動させながら掃除を行うための手動掃除機と、自律走行しながら掃除を行う自動掃除機に区分され得る。
【０００３】
また、手動掃除機は、掃除機の形態により、キャニスタタイプ掃除機、アップライトタイプ掃除機、ハンディ型掃除機、スティック型掃除機などに区分され得る。
【０００４】
先行文献である大韓民国登録特許公報第１０-１１２７０８８号（登録日２０１２．０３．０８．）にはハンドヘルド真空掃除機が開示されている。
【０００５】
前記ハンドヘルド真空掃除機は、吸込管、気流生成器、遠心分離装置、電源およびハンドルを含む。
【０００６】
また、前記気流生成器は、モータハウジング内に位置し、モータおよびファンアセンブリー形態を有する。そして、モータ前方にプレモータフィルターを備え、モータ後方にポストモータフィルターを備える。
【０００７】
このとき、フィルターを長時間にわたって使用するとき、フィルターに塵埃が積もることがあり、フィルターが掃除されなければフィルターに積もった塵埃が流動抵抗として作用して吸入性能が低下する問題がある。
【０００８】
しかし、先行文献の場合、プレモータフィルターが気流生成器と遠心分離機との間に位置し、ポストモータフィルターが外側のハウジングによって囲まれているので、製品を分解してこそフィルターに接近が可能となり、ユーザが面倒に感じるという問題がある。
【０００９】
また、遠心分離装置から排出された空気をモータ側に空気を案内する構造と、モータを通過した空気をポストモータフィルターに案内する構造とが別に存在するので、部品の個数が多くなり、構造が複雑であるという問題がある。
【発明の概要】
【発明が解決しようとする課題】
【００１０】
本発明の目的は、一つの流動ガイドが吸入モータの吸入流路と排気流路を形成するので、構造が簡単になり、部品数を減らすことができる掃除機を提供することにある。
【００１１】
また、本発明の目的は、製品がコンパクトになり、かつ吸入モータに流動するための空気流路の幅が確保され得る掃除機を提供することにある。
【００１２】
また、本発明の目的は、外観をなすボディーの変形が制限され得る掃除機を提供することにある。
【００１３】
また、本発明の目的は、フィルター機構およびプレフィルターの分離が可能な掃除機を提供することにある。
【課題を解決するための手段】
【００１４】
一側面による掃除機は、吸入力を発生させる吸入モータ；前記吸入力によって吸入された空気から塵埃を分離する塵埃分離部；前記吸入モータを囲むモータハウジング；前記モータハウジングの外側を囲み、前記塵埃分離部から排出された空気を前記吸入モータに案内する流動ガイド；および前記流動ガイドを囲み、前記流動ガイドとともに前記吸入モータから排出された空気を案内するボディーを含む。
【図面の簡単な説明】
【００１５】
【図１】本発明の一実施例による掃除機の斜視図である。
【図２】本発明の一実施例による掃除機の側面図である。
【図３】本発明の一実施例による掃除機の平面図である。
【図４】本発明の一実施例による掃除機を下側から見た斜視図である。
【図５】本発明の一実施例による掃除機の縦断面図である。
【図６】本発明の一実施例によるフィルター機構が本体から分離された様子を示す図である。
【図７】本発明の一実施例によるフィルター機構の下側を見た図である。
【図８】図７のフィルター機構の分解斜視図である。
【図９】図７のフィルター機構の断面斜視図である。
【図１０】本発明の一実施例によるフィルター機構が本体に結合された状態を示す断面図である。
【図１１】本発明の一実施例によるフィルターカバーの斜視図である。
【図１２】図１１のフィルターカバーにインナーフレームが結合された様子を示す断面図である。
【図１３】本発明の一実施例による流動ガイドの斜視図である。
【図１４】本発明の一実施例による流動ガイドの平面図である。
【図１５】本発明の一実施例によるフィルター機構が流動ガイドに結合される前の状態を示す図である。
【図１６】本発明の一実施例によるフィルター機構が流動ガイドに結合された状態を示す図である。
【図１７】本発明の一実施例によるモータハウジングと第２ボディーの構造を示す図である。
【図１８】本発明の一実施例による掃除機内における空気の流動を示す図である。
【図１９】本発明の一実施例による掃除機内における空気の流動を示す横断面図である。
【図２０】本発明の一実施例によるバッテリーがバッテリーハウジングから分離された様子を示す図である。
【図２１】本発明の一実施例によるバッテリーの斜視図である。
【図２２】本発明の一実施例によるバッテリーハウジングの結合溝を示す図である。
【図２３】本発明の掃除機に吸入ノズルを連結して床を掃除する様子を示す図である。
【図２４】本発明の他の実施例による掃除機を示す図である。
【図２５】本発明のまた他の実施例による掃除機内における空気の流動を示す図である。
【図２６】本発明のまた他の一実施例による掃除機の下側構造を示す図である。
【図２７】本発明のまた他の一実施例によるボディーカバーの斜視図である。
【図２８】図２６におけるボディーカバーが回転した状態を示す図である。
【発明を実施するための形態】
【００１６】
以下、本発明の一部の実施例を例示的な図面を通じて詳しく説明する。各図面の構成要素に参照符号を付けることにおいて、同一の構成要素については、たとえ他の図面上に示されてもできるだけ同じ符号を付けたことに留意しなければならない。また、本発明の実施例を説明することにおいて、関連した公知の構成または機能についての具体的な説明が本発明の実施例に対する理解を妨害すると判断される場合にはその詳細な説明は省略する。
【００１７】
また、本発明の構成要素を説明することにおいて、第１、第２、Ａ、Ｂ、（ａ）、（ｂ）等の用語を使用し得る。このような用語は、単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００１８】
図１は、本発明の一実施例による掃除機の斜視図であり、図２は、本発明の一実施例による掃除機の側面図であり、図３は、本発明の一実施例による掃除機の平面図である。
【００１９】
図４は、本発明の一実施例による掃除機の縦断面図であり、図５は、本発明の一実施例による掃除機の横断面図である。
【００２０】
図１ないし図５を参照すると、本発明の一実施例による掃除機１は、本体２を含むことができる。
【００２１】
前記掃除機１は、前記本体２の前方に結合される吸入部５をさらに含むことができる。前記吸入部５は塵埃を含む空気を前記本体２に案内することができる。
【００２２】
前記掃除機１は、前記本体２に結合されるハンドル部３をさらに含むことができる。前記ハンドル部３は前記本体２における前記吸入部５の反対側に位置し得る。
【００２３】
すなわち、前記吸入部５と前記ハンドル部３との間に前記本体２が配置され得る。
【００２４】
前記本体２は、第１ボディー１０と、前記第１ボディー１０の上側に位置する第２ボディー１２とを含むことができる。
【００２５】
前記第１ボディー１０と前記第２ボディー１２は、制限されないが、円筒状に形成され得る。
【００２６】
そして、前記吸入部５の中央部が概略的に前記第１ボディー１０と前記第２ボディー１２との境界部に位置するように前記吸入部５が前記本体２に結合され得る。
【００２７】
前記本体２は、前記吸入部５を通じて吸入された空気から塵埃を分離する塵埃分離部をさらに含むことができる。
【００２８】
前記塵埃分離部は、一例としてサイクロン流動によって塵埃を分離することができる第１サイクロン部１１０を含むことができる。このとき、前記第１ボディー１０が前記第１サイクロン部１１０を含む。
【００２９】
前記吸入部５を通じて吸入される空気と塵埃は、前記第１サイクロン部１１０の内周面に沿って螺旋流動することになる。
【００３０】
前記第１サイクロン部１１０のサイクロン流動の軸は、上下方向に延び得る。
【００３１】
前記塵埃分離部は、前記第１サイクロン部１１０より排出された空気から塵埃を再度分離する第２サイクロン部１３０をさらに含むことができる。このとき、前記塵埃分離部のサイズが最小化されるように、前記第２サイクロン部１３０は前記第１サイクロン部１８０の内部に位置し得る。前記第２サイクロン部１３０は並列に配置される複数のサイクロンボディーを含むことができる。
【００３２】
他の例として、前記塵埃分離部が単一のサイクロン部を有することも可能であり、この場合にも前記サイクロン流動の軸は上下方向に延び得る。
【００３３】
前記第１ボディー１０は、前記各サイクロン部１１０、１３０から分離された塵埃を貯蔵する塵埃容器の役割をする。前記本体２は、前記第１ボディー１０の下側を開閉するボディーカバー１６をさらに含むことができる。前記ボディーカバー１６は回転動作によって前記第１ボディー１０を開閉することができる。
【００３４】
前記第２サイクロン部１３０の少なくとも一部は、前記第１ボディー１０内に位置し得る。
【００３５】
前記第１ボディー１０内には前記第２サイクロン部１３０から分離された塵埃の貯蔵をガイドする塵埃貯蔵ガイド１２４が配置され得る。前記塵埃貯蔵ガイド１２４は、前記第２サイクロン部１３０の下側に結合されて前記ボディーカバー１６の上面に接触することができる。
【００３６】
前記塵埃貯蔵ガイド１２４は、前記第１ボディー１０の内部の空間を、前記第１サイクロン部１１０から分離された塵埃が貯蔵される第１塵埃貯蔵部１２１と、前記第２サイクロン部１３０から分離された塵埃が貯蔵される第２塵埃貯蔵部１２３とに区画することができる。
【００３７】
前記塵埃貯蔵ガイド１２４の内部空間が前記第２塵埃貯蔵部１２３であり、前記塵埃貯蔵ガイド１２４と前記第１ボディー１０との間の空間が第１塵埃貯蔵部１２１である。
【００３８】
前記塵埃貯蔵ガイド１２４の少なくとも一部は上側から下側に行くほど直径が減るように形成され得る。一例として前記塵埃貯蔵ガイド１２４の上側部の一部が下側に行くほど直径が減るように形成され得る。
【００３９】
そして、前記塵埃貯蔵ガイド１２４は、前記塵埃貯蔵ガイド１２４の上端から下方に延びる飛散防止リブ１２４ａを含むことができる。前記飛散防止リブ１２４ａは、一例として円筒状に形成され、前記塵埃貯蔵ガイド１２４の上側部の周りを囲むことができる。
【００４０】
このとき、前記塵埃貯蔵ガイド１２４の上側部から下側に行くほど直径が減るようになるので、前記塵埃貯蔵ガイド１２４の上側部の外周面と飛散防止リブ１２４ａとの間には空間が形成される。
【００４１】
サイクロン流動は、前記第２ボディー１０の内周面に沿って流動して下降することができる。サイクロン流動が下降する過程において、前記サイクロン流動が前記ボディーカバー１６と接触することになると、回転流動が上昇流動に変化し得る。もし、前記第１塵埃貯蔵部１２１内で上昇流動が存在する場合、前記第１塵埃貯蔵部１２１に貯蔵された塵埃が飛散して前記第２サイクロン部１３０側に逆流する問題がある。
【００４２】
本発明の場合、前記第１塵埃貯蔵部１２１内の上昇流動は、前記飛散防止リブ１２４ａと前記塵埃貯蔵ガイド１２４の上側部との間の空間で前記飛散防止リブ１２４ａによって再び下降流動に変化するので、前記第１塵埃貯蔵部１２１に貯蔵された塵埃の飛散が防止され、これによって塵埃が前記第２サイクロン部１３０側に逆流する問題が防止され得る。
【００４３】
一方、前記飛散防止リブ１２４ａは、前記塵埃貯蔵ガイド１２４の上端から下方に延びるので、前記サイクロン流動とともに前記第１サイクロン部１１０から分離された塵埃は、前記飛散防止リブ１２４ａによって前記第１塵埃貯蔵部１２１に円滑に移動することができる。
【００４４】
前記ボディーカバー１６は、前記第１塵埃貯蔵部１２１と前記第２塵埃貯蔵部１２３をともに開閉することができる。
【００４５】
前記掃除機１は、吸入力を発生するための吸入モータ２０と、前記吸入モータ２０に電源を供給するためのバッテリー４０とをさらに含むことができる。
【００４６】
前記吸入モータ２０は、前記第２ボディー１２内に位置し得る。そして、前記吸入モータ２０の少なくとも一部は前記塵埃分離部の上側に位置し得る。したがって、前記吸入モータ２０は前記第１ボディー１０の上方に位置し得る。
【００４７】
前記吸入モータ２０は、前記第２サイクロン部１３０の排出口と連通することができる。
【００４８】
このために、前記本体２は、前記第２サイクロン部１３０と連結される排出ガイド２８と、前記排出ガイド２８と連通される流動ガイド２２とをさらに含むことができる。
【００４９】
一例として、前記排出ガイド２８は前記第２サイクロン部１３０の上側に位置し、前記流動ガイド２２は前記排出ガイド２８の上側に位置し得る。
【００５０】
そして、前記吸入モータ２０の少なくとも一部は、前記流動ガイド２２の内部に位置し得る。
【００５１】
したがって、前記第１サイクロン部１８０のサイクロン流動の軸は、前記吸入モータ２０を貫通することができる。
【００５２】
前記吸入モータ２０が前記第２サイクロン部１３０の上側に位置すると、前記第２サイクロン部１３０から排出された空気が直ちに前記吸入モータ２０側に流動することができ、前記塵埃分離部と前記吸入モータ２０との間の流路が最小化され得る。
【００５３】
前記吸入モータ２０は、回転動作するインペラ２００を含むことができる。前記インペラ２００はシャフト２０２に連結され得る。前記シャフト２０２は上下方向に延びるように配置される。
【００５４】
そして、前記インペラ２００が前記吸入モータ２０の上側部に位置するように前記吸入モータ２０が配置され得る。この場合、前記インペラ２００によって空気が前記吸入モータ２０の上方から下方に流動することができる。
【００５５】
前記シャフト２０２の延長線（インペラ２００の回転軸ともいえる）は、前記第１ボディー１０を通過することができる。このとき、前記インペラ２００の回転軸と前記塵埃分離部の第１サイクロン部１１０から発生するサイクロン流動の軸とは同一線上に位置し得る。
【００５６】
本発明によると、前記塵埃分離部から排出された空気、すなわち、第２サイクロン部１３０から上方に排出された空気が前記吸入モータ２０側に流動する経路が減り、空気の方向変化が減るため、空気の流動損失が減るという長所がある。
【００５７】
空気の流動損失が減る場合、吸入力が増加し、前記吸入モータ２０に電源を供給するためのバッテリー４０の使用時間が増加できる。
【００５８】
前記掃除機１は、前記吸入モータ２０の上側の一部をカバーする上部モータハウジング２６と、前記吸入モータ２０の下側の一部をカバーする下部モータハウジング２７とをさらに含むことができる。
【００５９】
前記吸入モータ２０は、前記各モータハウジング２６の内部に収容され、前記流動ガイド２２は前記上部モータハウジング２６を囲むように配置され得る。
【００６０】
前記流動ガイド２２の少なくとも一部は、前記上部モータハウジング２６と離隔することができる。また、前記流動ガイド２２の少なくとも一部は、前記第２ボディー１２と離隔することができる。
【００６１】
したがって、前記流動ガイド２２の内周面と前記上部モータハウジング２６の外周面は、第１空気流路２３２を形成し、前記流動ガイド２２の外周面と前記第２ボディー１２の内周面は、第２空気流路２３４を形成する。
【００６２】
本発明によると、単一の流動ガイド２２が第１空気流路２３２と第２空気流路２３４とを形成し、各空気流路を形成するための部品数を減らすことができるため、構造が簡単になるという長所がある。
【００６３】
前記第１空気流路２３２は、吸入流路の役割をし、前記第２空気流路２３４は排気流路の役割をする。
【００６４】
前記第２サイクロン部１３０から排出された空気は、前記第１空気流路２３２に沿って前記吸入モータ２０に流動し、前記吸入モータ２０から排出された空気は、前記第２空気流路２３４に沿って流動した後に外部に排出される。したがって、前記第２空気流路２３４は排気流路の役割をする。
【００６５】
前記ハンドル部３は、ユーザの把持のためのハンドル３０と、前記ハンドル３０の下側に配置されるバッテリーハウジング４１０とを含むことができる。
【００６６】
前記ハンドル３０は、前記吸入モータ２０の後方に位置し得る。
【００６７】
方向について定義すると、前記掃除機１において、前記吸入モータ２０を基準として前記吸入部５が位置する方向が前方であり、前記ハンドル３０が位置する方向が後方である。
【００６８】
前記バッテリー４０は、前記第１ボディー１０の後方に位置し得る。したがって、前記吸入モータ２０と前記バッテリー４０は、上下方向に重ならないように配置され、配置高さも異なるように配置され得る。
【００６９】
このような本発明によると、前記ハンドル３０を基準として、重さが重い吸入モータ２０が前記ハンドル３０の前方に位置し、重さが重いバッテリー４０が前記ハンドル３０の下方に位置するので、前記掃除機１は全体的に重さが均等に分配される。ユーザが前記ハンドル３０をつかんで掃除をするとき、ユーザの手首に無理が生じることが防止され得る。すなわち、掃除機１の前方と後方に重さが重い構成が分散して配置され、互いに異なる高さに配置されるので、掃除機１の重心がある一側に傾くことが防止され得る。
【００７０】
前記バッテリー４０が前記ハンドル３０の下方に位置し、前記吸入モータ２０は前記ハンドル３０の前方に位置するので、前記ハンドル３０の上方には何の構成も存在しなくなる。すなわち、前記ハンドル３０の上面は前記掃除機１の上面の一部外観を形成する。
【００７１】
したがって、前記ハンドル３０をつかんで使用する過程で掃除機１の一構成がユーザの腕に接触することが防止され得る。
【００７２】
前記ハンドル３０は、上下方向に延びてユーザがつかむことができる第１延長部３１０と、前記第１延長部３１０の上側から前記吸入モータ２０に向かって延びる第２延長部３２０とを含むことができる。前記第２延長部３２０は少なくとも一部が水平方向に延び得る。
【００７３】
前記第１延長部３１０は、ユーザが前記第１延長部３１０をつかんだ状態で手が前記第１延長部３１０の長さ方向（図２には上下方向）に移動することを防止するための移動制限部３１２を備えることができる。前記移動制限部３１２は、前記第１延長部３１０から前記吸入部５に向かって延び得る。
【００７４】
前記移動制限部３１２は、前記第２延長部３２０と離隔して配置される。したがって、前記第１延長部３１０を把持した状態で一部の指は前記移動制限部３１２の上方に位置し、残りの指は前記移動制限部３１２の下方に位置し得る。
【００７５】
一例として、人差し指と中指との間に前記移動制限部３１２が位置し得る。
【００７６】
このような配置によると、ユーザが前記第１延長部３１０を把持した状態で前記吸入部５の長さ方向軸Ａ１がユーザの手首を通ることができる。
【００７７】
前記吸入部５の長さ方向軸Ａ１がユーザの手首を通る場合、ユーザの腕が伸びた状態で前記吸入部５の長さ方向軸Ａ１は、ユーザの腕の延長方向と実質的に並んでいることができる。したがって、このような状態では、ユーザが前記ハンドル３０をつかんで掃除機１を押したり引くとき、必要とされるユーザの力が最小化されるという長所がある。
【００７８】
前記ハンドル３０は、操作部３２６を含むことができる。一例として、前記操作部３２６は前記第２延長部３２０に形成される傾斜面に位置し得る。前記操作部３２６を通じて掃除機吸入モータのオン命令およびオフ命令を入力することができる。
【００７９】
前記操作部３２６は、ユーザに向かうように配置され得る。前記ハンドル３０を基準として前記操作部３２６は前記移動制限部３１２の反対側に位置し得る。
【００８０】
前記操作部３２６は、前記移動制限部３１２より高く位置し得る。したがって、ユーザが前記第１延長部３１０をつかんだ状態で親指により簡単に前記操作部３２６を操作することができる。
【００８１】
また、前記第１延長部３１０から外れた位置に前記操作部３２６が位置するので、前記第１延長部３１０を把持した状態で掃除を行うとき、意図せずに前記操作部３２６が操作されることが防止され得る。
【００８２】
前記第２延長部３２０は、作動状態を表示するための表示部３２２を備えることができる。前記表示部３２２は、一例として前記第２延長部３２０の上面に位置し得る。したがって、ユーザが掃除を行う過程で前記第２延長部３２０の上面に位置した表示部３２２を簡単に確認することができる。前記表示部３２２は、一例としてバッテリー４０の残量、吸入モータの強さなどを表示することができる。
【００８３】
前記表示部３２２は、制限されないが、複数の発光部を含むことができる。前記複数の発光部は、前記第２延長部３２０の長さ方向に離隔して配列され得る。
【００８４】
前記バッテリーハウジング４１０は、前記第１延長部３１０の下側に位置し得る。
【００８５】
前記バッテリー４０は、前記バッテリーハウジング４１０に分離可能に結合され得る。一例として前記バッテリー４０は、前記バッテリーハウジング４１０の下方から前記バッテリーハウジング４１０の内部に挿入され得る。
【００８６】
前記バッテリーハウジング４１０の後面と前記第１延長部３１０の後面とは、連続した面を形成することができる。したがって、前記バッテリーハウジング４１０と前記第１延長部３１０とが一体感を有することができる。
【００８７】
前記バッテリー４０が前記バッテリーハウジング４１０に収容された状態で前記バッテリー４０の下面が外部に露出することができる。したがって、前記掃除機１を床に置くとき、前記バッテリー４０が床に置かれ得る。
【００８８】
このような構造によると、前記バッテリー４０を前記バッテリーハウジング４１０から直ちに分離できるという長所がある。
【００８９】
また、前記バッテリー４０の下面が外部に露出するので、前記バッテリー４０の下面が掃除機１の外部の空気と直接接触でき、前記バッテリー４０の冷却性能が向上され得る。
【００９０】
一方、図３を参照すると、前記掃除機１は、前記吸入モータ２０を経た空気が排出される空気排出口５２２を有するフィルター機構５０をさらに含むことができる。前記空気排出口５２２は、一例として複数の開口を含み、複数の開口は円周方向に配列され得る。したがって、空気排出口５２２はリング形状に配列され得る。
【００９１】
前記フィルター機構５０は、前記本体２の上側に分離可能に結合され得る。前記フィルター機構５０は、前記第２ボディー１２に分離可能に収容され得る。
【００９２】
前記フィルター機構５０が前記本体２に結合された状態で前記フィルター機構２の一部は前記第２ボディー１２の外側に位置し得る。したがって、前記フィルター機構５０の一部は前記本体２の上側開口を通じて前記本体２の内部に引入され、他の一部は前記本体２の外部に突出する。
【００９３】
前記本体２の高さは、前記ハンドル３０の高さと実質的に同一であり得る。したがって、前記フィルター機構５０は、前記本体２の上方に突出して、ユーザが前記フィルター機構５０をつかんだ状態で前記フィルター機構５０を容易に分離することができる。
【００９４】
前記フィルター機構５０が前記本体２に結合された状態で前記フィルター機構５０の上側に前記空気排出口５２２が位置し得る。したがって、前記吸入モータ２０から排出された空気は前記本体２の上方に排出される。
【００９５】
本実施例によると、掃除機１を用いて掃除する過程において、空気排出口５２２から排出された空気がユーザ側に流動することが防止され得る。
【００９６】
前記本体２は、前記吸入モータ２０に流入する空気をフィルタリングするためのプレフィルター２９をさらに含むことができる。前記プレフィルター２９は前記流動ガイド２２内に位置し得る。また、前記プレフィルター２９は、前記上部モータハウジング２６に安着されて前記上部モータハウジング２６の一部を囲むことができる。すなわち、前記上部モータハウジング２６は、前記プレフィルター２９を支持するためのフィルター支持部を含むことができる。
【００９７】
前記フィルター機構５０が前記本体２に装着された状態で前記フィルター機構５０は、前記プレフィルター２９の移動を防止するために前記プレフィルター２９を加圧することができる。
【００９８】
一例として前記フィルター機構５０は、前記プレフィルター２９を下方に加圧することができる。したがって、本発明によると、前記プレフィルター２９を固定するための構造が必要でないという長所がある。
【００９９】
図６は、本発明の一実施例によるフィルター機構が本体から分離された様子を示す図であり、図７は、本発明の一実施例によるフィルター機構の下側を見た図であり、図８は、図７のフィルター機構の分解斜視図であり、図９は、図７のフィルター機構の断面斜視図である。
【０１００】
図５ないし図９を参照すると、前記フィルター機構５０は、前記本体２から分離され得る。
【０１０１】
一例として、前記フィルター機構５０は、前記本体２の上方に分離され得る。
【０１０２】
前記インペラ２００が前記吸入モータ２０の上側に位置するように配置されるので、前記プレフィルター２９が前記インペラ２００をカバーするように、上部モータハウジング２６を囲んで配置され得る。
【０１０３】
したがって、前記フィルター機構５０が前記本体２から分離された状態で前記プレフィルター２９が外部に露出することができ、これにより、前記プレフィルター２９が分離可能な状態となる。
【０１０４】
前記プレフィルター２９は、つまみ２９ａを含むことができる。ユーザは外部に露出した前記プレフィルター２９のつまみ２９ａをつかんで前記プレフィルター２９を上方に持ち上げて前記プレフィルター２９を前記本体２から分離することができる。前記プレフィルター２９が前記本体２から分離され得るので、ユーザは前記プレフィルター２９を簡単に掃除することができる。
【０１０５】
前記フィルター機構５０は、吸入モータ２０から排出された空気をフィルタリングするためのフィルター５６０と、前記フィルター５６０を支持するフィルターフレームとをさらに含むことができる。
【０１０６】
前記フィルター５６０は、一例としてヘパフィルター（ｈｉｇｈ  ｅｆｆｉｃｉｅｎｃｙ  ｐａｒｔｉｃｕｌａｔｅ  ａｉｒ  ｆｉｌｔｅｒ：ＨＥＰＡフィルター）であり得る。
【０１０７】
前記フィルター機構５０が前記本体２に結合された状態で前記掃除機１の高さの増加が防止されるように、前記フィルター５６０は前記流動ガイド２２を囲むように配置され得る。
【０１０８】
すなわち、前記フィルター５６０は、一例としてリング形状に形成され、前記フィルター５６０が形成する領域内に前記流動ガイド２２の一部が位置し得る。
【０１０９】
また、前記フィルター５６０が形成する領域に前記プレフィルター２９の少なくとも一部が収容され得る。すなわち、前記フィルター５６０は前記プレフィルター２９を囲む。
【０１１０】
前記フィルターフレームは、前記第２ボディー１２と前記流動ガイド２２との間に挿入された状態で前記流動ガイド２２に結合され得る。
【０１１１】
前記フィルターフレームは、インナーフレーム５０１と、インナーフレーム５０１を囲むように配置されるアウターフレーム５４０とを含むことができる。
【０１１２】
前記インナーフレーム５０１の外周面と前記アウターフレーム５４０の内周面は離隔し、前記インナーフレーム５０１と前記アウターフレーム５４０との間に前記フィルター５６０が位置し得る。
【０１１３】
前記フィルターフレームは、前記空気排出口５２２が形成され、前記フィルター５６０の上側をカバーする排気グリル５２０と、前記フィルター５６０の下側をカバーするフィルターカバー５７０とをさらに含むことができる。
【０１１４】
具体的に、前記インナーフレーム５０１は、上面部５０２と、前記上面部５０２の枠から下方に延長する周り部５０３とを含むことができる。
【０１１５】
前記周り部５０３は、第１部分５０３ａと、前記第１部分５０３ａから下方に延び、前記第１部分５０３ａの直径よりも直径が大きい第２部分５０３ｂとを含むことができる。
【０１１６】
前記第１部分５０３ａと前記第２部分５０３ｂとの直径差によって、前記第１部分５０３ａと前記第２部分５０３ｂとの間には前記排気グリル５２０が安着されるための安着部５０６が形成され得る。
【０１１７】
前記安着部５０６は、前記上面部５０２から下方に離隔した位置で前記周り部５０３の円周方向に沿って形成される。
【０１１８】
前記排気グリル５２０が前記安着部５０６に安着され得るように前記排気グリル５２０はリング形状に形成され得る。そして、前記排気グリル５２０の内径は、前記周り部５０３の第１部分５０３ａの外径と同一であるか大きくてもよい。そして、前記安着部５０６の外径および前記第２部分５０３ｂの外径は、前記排気グリル５２０の内径より大きくてもよい。
【０１１９】
したがって、前記インナーフレーム５０１の上面部５０２および周り部５０３の第１部分５０３ａが前記排気グリル５２０を貫通した状態で前記排気グリル５２０が前記安着部５０６に安着され得る。
【０１２０】
前記フィルター機構５０は、前記インナーフレーム５０１の枠に結合されるインナーデコ部材５１０をさらに含むことができる。前記インナーテコ部材５１０はリング形状に形成され得る。
【０１２１】
前記インナーテコ部材５１０は、前記インナーフレーム５０１に結合されるためのフック５１２を備えることができる。
【０１２２】
前記インナーフレーム５０１には、前記フック５１２が結合されるためのフック結合孔５０８が形成され得る。
【０１２３】
前記フック結合孔５０８は、前記周り部５０３の第１部分５０３ａに形成され得る。また、前記周り部５０３の第１部分５０３ａには、前記フック５１２を前記フック結合孔５０８に案内するための案内溝５０７が形成され得る。前記案内溝５０７は上下方向に延び得る。
【０１２４】
したがって、前記インナーテコ部材５１０のフック５１２が前記案内溝５０７に沿って移動して前記フック結合孔５０８と整列されると、前記フック５１２が前記フック結合孔５０８に挿入され得る。
【０１２５】
前記排気グリル５２０が前記インナーフレーム５０１の安着部５０６に安着された状態で前記インナーテコ部材５１０が前記インナーフレーム５０１に結合され得る。
【０１２６】
このために、前記排気グリル５２０の内周面には、前記インナーテコ部材５１０のフック５１２が移動できる空間を提供するための案内溝５２４が形成され得る。前記案内溝５２４は上下方向に延び得る。
【０１２７】
したがって、前記インナーテコ部材５１０のフック５１２は、前記インナーフレーム５０１の案内溝５０７および前記排気グリル５２０の案内溝５２４に沿って移動することができる。
【０１２８】
前記インナーテコ部材５１０が前記インナーフレーム５０１に結合された状態で、前記インナーテコ部材５１０は前記排気グリル５２０の上面に安着され得る。
【０１２９】
したがって、本実施例によると、前記排気グリル５２０を前記インナーフレーム５０１に固定させるための別途の固定手段が必要でないという長所がある。
【０１３０】
前記アウターフレーム５４０は、前記排気グリル５２０を支持することができる。前記アウターフレーム５４０は前記排気グリル５２０の下面に接触した状態で、一例として融着によって前記排気グリル５２０に固定され得る。ただし、本発明で前記排気グリル５２０と前記アウターフレーム５４０との固定方法には制限がないということを明らかにする。
【０１３１】
前記アウターフレーム５４０が前記排気グリル５２０を支持するために、前記アウターフレーム５４０には前記排気グリル５２０が安着されるための安着溝５４４が形成され得る。
【０１３２】
前記アウターフレーム５４０が前記排気グリル５２０と固定されると、前記アウターフレーム５５０と前記インナーフレームの周り部５０３との間にフィルター収容空間が形成され、前記フィルター収容空間に前記フィルター５６０が収容され得る。前記フィルター５６０が前記フィルター収容空間に収容された状態で、前記フィルター５６０は前記空気排出口５２２と上下方向に重なる。
【０１３３】
前記フィルター機構５０は、前記アウターフレーム５４０に結合されるアウターデコ部材５５０をさらに含むことができる。前記アウターデコ部材５５０は、前記排気グリル５２０の周りの一部を囲んで前記アウターフレーム５４０に結合され得る。また、前記アウターデコ部材５５０は、前記アウターフレーム５４０の上側部を囲むことができる。前記アウターフレーム５４０の外周面には、前記アウターデコ部材５５０の下端が安着されるための安着面５４６が形成され得る。
【０１３４】
前記アウターデコ部材５５０の内周面には、前記アウターフレーム５４０に結合されるための一つ以上の結合突起５５４が形成され、前記アウターフレーム５４０の外周面には前記一つ以上の結合突起５５４が収容されるための一つ以上の結合溝５４２が形成され得る。
【０１３５】
前記アウターデコ部材５５０の外周面には、ユーザが前記フィルター機構５０を分離または結合させるとき、手が滑ることを防止するためのすべり防止部５５２を備えることができる。前記すべり防止部５５２は、一例として前記アウターデコ部材５５０の外面から突出する複数の突起であり得る。
【０１３６】
ユーザの手のすべりが効果的に防止されるように、複数のすべり防止部５５２が前記アウターデコ部材５５０の円周方向に沿って離隔して配置され得る。
【０１３７】
前記フィルターカバー５７０は、一例としてリング形状に形成され、空気が通過するための開口５７４を含むことができる。
【０１３８】
前記フィルターカバー５７０は、前記アウターフレーム５４０と前記インナーフレーム５０１との間に収容されたフィルター５６０をカバーすることができる。
【０１３９】
前記フィルターカバー５７０は、前記アウターフレーム５４０の下面と前記インナーフレーム５０１の下面を支持することができ、前記アウターフレーム５４０および前記インナーフレーム５０１と、一例として融着によって互いに結合され得る。
【０１４０】
前記フィルター機構５０は、前記フィルター機構５０が前記本体２に結合された状態で前記フィルター機構５０と前記本体２のシーリングのためのシーリング部材５３０、５８０をさらに含むことができる。
【０１４１】
図１０は、本発明の一実施例によるフィルター機構が本体に結合された状態を示す断面図である。
【０１４２】
図９および図１０を参照すると、前記シーリング部材５３０、５８０は、前記流動ガイド２２内の空気が前記インナーフレーム５０１に備えられるフック結合孔５０８を通じて外部に漏洩することを防止するためのインナーシーリング部材５３０（または、第１シーリング部材）を含むことができる。
【０１４３】
前記インナーシーリング部材５３０は、前記インナーフレーム５０１の周り部５０３の内側に結合され得る。
【０１４４】
具体的に、前記インナーフレーム５０１の上面部５０２から下方にシーリングリブ５０４が延び得る。前記シーリングリブ５０４は、前記インナーフレーム５０１の周り部５０３から離隔することができる。前記シーリングリブ５０４は前記上面部５０１の円周方向に連続して形成され得る。
【０１４５】
したがって、前記シーリングリブ５０４と前記インナーフレーム５０１の周り部５０３との間には、前記インナーシーリング部材５３０が収容されるための空間が形成され、前記インナーシーリング部材５３０の一部は前記空間に嵌められる。
【０１４６】
前記インナーシーリング部材５３０が前記インナーフレーム５０１に結合された状態で、前記インナーシーリング部材５３０は、前記周り部５０３の第１部分５０３ａの下面と、前記第２部分５０３ｂの内周面およびシーリングリブ５０４の下面とに接触する。
【０１４７】
そして、前記フィルター機構５０が前記本体２に結合されると、前記インナーシーリング部材５３０は前記流動ガイド２２の上端に安着される。
【０１４８】
したがって、本発明によると、前記インナーシーリング部材２３０が前記周り部５０３の第１部分５０３ａの下面と、前記第２部分５０３ｂの内周面およびシーリングリブ５０４の下面とに接触した状態で前記流動ガイド２２の上端に安着されるので、前記流動ガイド２２を流動する空気が前記フック結合孔５０８に流動することが防止され得る。
【０１４９】
また、前記インナーシーリング部材２３０によって、前記流動ガイド２２の外周面と前記インナーフレーム５０１の周り部５０３内周面との間の隙間に空気が漏洩することが防止され得る。
【０１５０】
前記フィルター機構５０が前記本体２から分離されるためには、前記フィルター機構５０の外面と前記第２部材１２の内周面との間には隙間が生じることがある。
【０１５１】
前記シーリング部材５３０、５８０は、前記第２空気流路２３４の空気が前記フィルター５６０を通過せずに前記アウターフレーム５４０と前記第２ボディー１２との間の隙間に流動されることを防止するためのアウターシーリング部材５８０（または、第２シーリング部材）をさらに含むことができる。
【０１５２】
前記アウターシーリング部材５８０は、前記フィルターカバー５７０の枠に結合され得る。制限されないが、前記アウターシーリング部材５８０は、前記フィルターカバー５７０に嵌め結合されるか、または前記フィルターカバー５７０とインサート射出によって一体に形成され得る。
【０１５３】
前記第２部材１２の内周面には、前記アウターシーリング部材５８０が支持されるための支持面１２５が形成され得る。前記支持面１２５は、前記第２部分１２の一部分の厚さが大きくなることによって形成され得る。
【０１５４】
前記フィルター機構５０が前記本体２に結合されると、前記アウターシーリング部材５８０が前記支持面１２５に安着され得る。
【０１５５】
したがって、前記第２空気流路２３４の空気が前記アウターフレーム５４０と前記第２部材１２の内周面との間の隙間に流動することが防止され得る。
【０１５６】
一方、前記フィルター機構５０が前記本体２に結合されると、前記アウターデコ部材５５０は前記本体２の第２ボディー１２の上側に安着される。したがって、ユーザは、前記アウターデコ部材５５０をつかんだ状態で前記フィルター機構５０を一方向に回転させて前記フィルター機構５０を前記本体２から分離することができる。
【０１５７】
そして、前記フィルター機構５０が前記本体２に結合された状態で、前記フィルター５６０の一部は前記本体２内に位置し、他の一部は本体２外部に位置し得る。
【０１５８】
本発明によると、前記フィルター機構５０の一部が前記本体２の外部に突出しているので、ユーザが前記フィルター機構５０を把持することが可能になり、前記本体２の外部に突出した部分にも前記フィルター５６０が位置することができるので、前記フィルター５６０のサイズを増加させることができる。したがって、空気と接触できるフィルター５６０の面積が増加して空気浄化性能が向上され得る。
【０１５９】
図１１は、本発明の一実施例によるフィルターカバーの斜視図であり、図１２は、図１１のフィルターカバーにインナーフレームが結合された様子を示す断面図であり、図１３は、本発明の一実施例による流動ガイドの斜視図であり、図１４は、本発明の一実施例による流動ガイドの平面図である。
【０１６０】
図１０ないし図１４を参照すると、前記フィルターカバー５７０は、インナーボディー５７１と、前記インナーボディー５７１と離隔するアウターボディー５７２と、前記インナーボディー５７１と前記アウターボディー５７２とを連結する連結ボディー５７３とを含むことができる。
【０１６１】
前記インナーボディー５７１と前記アウターボディー５７２はそれぞれリング形状に形成され得る。
【０１６２】
前記連結ボディー５７３には、空気が通過するための一つ以上の開口５７４を備えることができる。
【０１６３】
前記インナーボディー５７１の内周面には、前記インナーフレーム５０１の下面５０９を支持するための複数のフレーム支持リブ５７５を備えることができる。前記複数のフレーム支持リブ５７５は、前記インナーボディー５７１の円周方向に離隔して配置され得る。
【０１６４】
前記インナーボディー５７１の内周面には、前記流動ガイド２２との結合のためのリブ結合部５７７を備えることができる。
【０１６５】
前記リブ結合部５７７が下方傾斜して延びるように、前記インナーボディー５７１は延長部５７６を含むことができる。前記延長部５７６は、前記インナーボディー５７１の下面で下方に突出し、前記延長部５７６に前記リブ結合部５７７を備えることができる。
【０１６６】
したがって、前記リブ結合部５７７は、前記フレーム支持リブ５７５の端部で円周方向に延び、下方に傾斜するように延びる。
【０１６７】
前記リブ結合部５７７が下方傾斜する理由は、前記フィルター機構５０を前記本体２に回転方式で結合および結合解除可能であり、前記フィルター機構５０を前記本体２から分離する過程で前記フィルター機構５０が上昇するようにするためである。
【０１６８】
前記フィルター機構５０が分離される過程で上昇する場合、前記フィルター機構５０が分離されていることをユーザが確認できることになる。
【０１６９】
前記フィルター機構５０が回転する過程で前記フィルター機構５０が結合解除されるように構成される場合、前記フィルター機構５０に回転力が加えられなければならないので、前記フィルター機構５０を引っ張っても前記本体２０から分離されることが防止され得る。したがって、意図せずに前記フィルター機構５０が前記本体２から分離されることが防止され得る。
【０１７０】
前記リブ結合部５７７は、後述する流動ガイド２２の固定突起２２９が収容されるスロット５７８を含むことができる。前記スロット５７８は溝または孔であり得る。
【０１７１】
前記インナーフレーム５０１は、前記インナーフレーム５０１の下面５０９で下方に延びる接触部５０９ａをさらに含むことができる。前記接触部５０９ａは、前記フィルターカバー５７０と前記インナーフレーム５０１とが結合された状態で前記フレーム支持リブ５７５の側面に接触することができる。
【０１７２】
前記インナーフレーム５０１は、前記流動ガイド２２に形成された固定リブ２２８が収容されるためのリブ収容部５７９を形成するために上方に陥没して形成される陥没部５０９ｂを含むことができる。
【０１７３】
前記インナーフレーム５０１が前記フィルターカバー５７０と結合された状態で、前記陥没部５０９ｂは、前記結合リブ５７７の上方で前記結合リブ５７７と離隔して配置される。
【０１７４】
このとき、前記フィルター機構５０の回転および下降過程で前記流動ガイド２２の固定リブ２２８が前記陥没部５０９ｂと前記リブ結合部５７７との間のリブ収容部５７９に収容され得るように、前記陥没部５０９ｂは傾斜するように形成され得る。
【０１７５】
したがって、前記リブ収容部５７９も下方に傾斜するように延びる。前記リブ収容部５７９は、前記インナーフレーム５０１と前記フィルターカバー５７０との間の空間と理解され得る。すなわち、前記流動ガイド２２の固定リブ２２８は、前記インナーフレーム５０１と前記フィルターカバー５７０との間に挟まれ得る。
【０１７６】
前記流動ガイド２２は、上部および下部が開口されるガイドボディー２２０を含むことができる。前記ガイドボディー２２０は、前記第２サイクロン部１３０から排出された空気が流動される前記第１空気流路２３２を形成するための流路形成壁２２２を含むことができる。
【０１７７】
前記流路形成壁２２２は、前記ガイドボディー２２２で半径方向に突出することができる。
【０１７８】
このとき、空気が円滑に流動できるように、前記流動ガイド２２は円周方向に離隔する複数の流路形成壁２２２を含むことができる。
【０１７９】
前記流動ガイド２２の内部に前記吸入モータ２０が位置するが、前記本体２のサイズが増加しないためには前記流動ガイド２２と前記吸入モータ２０とのギャップが大きくてはならない。しかし、前記流動ガイド２２と前記吸入モータ２０とのギャップが大きくなければ、空気の流動性能が低下するという問題がある。
【０１８０】
しかし、本発明のように、前記流路形成壁２２２が前記ガイドボディー２２０から突出すると、前記流路形成壁２２２によって空気が流動できる流路の断面積が十分に確保され、空気の流動性能が向上され得る。
【０１８１】
前記流動ガイド２２の上側部が前記インナーフレーム５０１の内側に収容され得るとともに、前記流路形成壁２２２が前記フィルター機構５０と干渉されないように、前記流路形成壁２２２は、前記流動ガイド２２の上端から下側に一定間隔で離隔した位置に形成される。
【０１８２】
そして、前記ガイドボディー２２０の上側部の外径は、前記インナーフレーム５０１の周り部５０３の内径より小さく形成され得る。したがって、前記フィルター機構５０が前記本体２に結合されるとき、前記流動ガイド２２の上側部が前記フィルター機構５０に収容されて前記インナーシーリング部材５３０が前記流動ガイド２２の上端に安着され得る。
【０１８３】
本発明によると、前記流動ガイド２２の一部が前記フィルター機構５０の内側に収容されるので、前記掃除機１の高さの増加幅が最小化され得る。
【０１８４】
前記ガイドボディー２２０の内周面には、前記プレフィルター２９の下端を支持するフィルター支持部２２５を備えることができる。前記フィルター支持部２２５は、前記ガイドボディー２２０の内周面から突出することができる。
【０１８５】
前記ガイドボディー２２０の下端には、前記モータハウジング２６、２７との締結のための締結部２２６を備えることができる。
【０１８６】
前記ガイドボディー２２０の締結部２２６は、前記上部モータハウジング２６に安着され得る。この状態で締結部材Ｓ１が上方から前記締結部２２６を貫通した後に前記上部モータハウジング２６に締結され得る。
【０１８７】
前記締結部材Ｓ１は、前記上部モータハウジング２６および前記下部モータハウジング２７を貫通した後に前記排出ガイド２８にも締結され得る。このような構造によると、少ない個数の締結部材を用いて組立てることができるので、構造および組立方法が容易であるという長所がある。
【０１８８】
前記流動ガイド２２は、前記フィルター機構５０との結合のための固定リブ２２８を含むことができる。前記フィルター機構５０の回転過程で前記フィルター機構５０の高さが可変するように、前記固定リブ２２は円周方向に延び、傾斜するように延び得る。そして、前記固定リブ２２の下面に固定突起２２９が形成され得る。
【０１８９】
一方、前記流路形成壁２２２には、補強リブ２２７が形成され得る。前記流動ガイド２２は、前記第２空気流路２３４を形成するために前記第２ボディー１２の内周面と離隔し得る。
【０１９０】
前記補強リブ２２７は、前記流路形成壁２２２で前記第２ボディー１２に向かって延び得る。
【０１９１】
このように、前記流動ガイド２２が前記第２ボディー１２の内周面と離隔する場合、前記第２ボディー１２の外側から外力が加えられると、前記第２ボディー１２が前記流動ガイド２２に向かって変形される恐れがある。
【０１９２】
しかし、本発明によると、前記流路形成壁２２２に補強リブ２２７が形成されることによって、前記第２ボディー１２に外力が加えられても前記第２ボディー１２が前記補強リブ２２７に接触することになり、前記第２ボディー１２の変形が制限され得る。
【０１９３】
前記流路形成壁２２２が前記ガイドボディー２２０から突出するので、前記補強リブ２２７が前記流路形成壁２２２に形成される場合、前記補強リブ２２７の長さを減らすことができるという長所がある。
【０１９４】
図１５は、本発明の一実施例によるフィルター機構が流動ガイドに結合される前の状態を示す図であり、図１６は、本発明の一実施例によるフィルター機構が流動ガイドに結合された状態を示す図である。
【０１９５】
図１５および図１６を参照して、前記フィルター機構５０の結合過程について説明することにする。
【０１９６】
前記フィルター機構５０を前記本体２に結合させるために前記フィルター機構５０の下側の一部を前記第２ボディー１２に収容させる。
【０１９７】
これによって、前記フィルター機構５０のリブ収容部５７９と前記固定リブ２２８とが整列され得る。
【０１９８】
この状態で前記フィルター機構５０を回転させると、前記固定リブ２２８が前記リブ収容部５７９に収容される。このとき、前記固定リブ２２８が前記リブ収容部５７９に容易に収容されるために、前記リブ収容部５７９の高さは前記固定リブ２２８の高さより高く形成され得る。
【０１９９】
前記固定リブ２２８が傾斜するように延びるので、前記フィルター機構５０の回転過程で前記フィルター機構５０は、前記固定リブ２２８によって下降することになる。
【０２００】
前記固定リブ２２８が前記リブ収容部５７９に収容される過程で前記固定突起２２９が前記リブ結合部５７７のスロット５７８に挿入されると、前記フィルター機構５０と前記本体２との結合すなわち、流動ガイド２２との結合が完了する。
【０２０１】
一方、前記フィルター機構５０を前記本体２から分離させるために前記フィルター機構５０を他方向に回転させる。このとき、前記固定リブ２２８が傾斜するように形成されるので、前記フィルター機構５０の回転過程で前記フィルター機構５０は前記固定リブ２２８によって上昇することになる。そして、前記固定リブ２２８が前記リブ収容部５７９から抜け出ると、前記フィルター機構５０と前記本体２との結合が解除される。
【０２０２】
この状態で前記フィルター機構５０を上方に移動させると、前記フィルター機構５０が前記本体２から分離され得る。
【０２０３】
図１７は、本発明の一実施例によるモータハウジングと第２ボディーの構造を示す図である。
【０２０４】
図５および１７を参照すると、前記下部モータハウジング２７は前記第２ボディー１２と一体に形成され得る。
【０２０５】
前記下部モータハウジング２７には、前記排出ガイド２８に沿って流動する空気が通過するための貫通孔２７３が形成され得る。
【０２０６】
前記下部モータハウジング２７は、前記上部モータハウジング２６を支持することができる。このとき、前記下部モータハウジング２７と前記上部モータハウジング２６との間には第１シーラー２７４を備えることができる。
【０２０７】
前記下部モータハウジング２７は、前記吸入モータ２０から排出された空気を前記第２空気流路２３４に案内するための空気ガイド２７２をさらに含むことができる。
【０２０８】
前記上部モータハウジング２７は、前記流動ガイド２２を支持することができる。前記上部モータハウジング２７と前記流動ガイド２２との間には第２シーラー２７４を備えることができる。
【０２０９】
前記上部モータハウジング２６にも前記下部モータハウジング２７の貫通孔２７３を通過した空気が通過する貫通孔２６２が形成され得る。
【０２１０】
図１８は、本発明の一実施例による掃除機内における空気の流動を示す縦断面図であり、図１９は、本発明の一実施例による掃除機内における空気の流動を示す横断面図である。
【０２１１】
図１７ないし図１９を参照して、前記掃除機１における空気の流動について説明する。
【０２１２】
前記吸入モータ２０の作動によって、前記吸入部５を通じて吸入された空気と塵埃は、前記第１サイクロン部１１０の内周面に沿って流動して互いに分離される。
【０２１３】
空気と分離された塵埃は、下方に流動して前記第１塵埃貯蔵部１２１に貯蔵される。塵埃と分離された空気は、前記第２サイクロン部１３０に流動される。前記第２サイクロン部１３０に流動された空気は再度塵埃と分離される。
【０２１４】
前記第２サイクロン部１３０で空気と分離された塵埃は、下方に流動して前記第２塵埃貯蔵部１２３に貯蔵される。一方、前記第２サイクロン部１３０で塵埃と分離された空気は、前記第２サイクロン部１３０から排出されて前記吸入モータ２０側に上昇する。
【０２１５】
前記第２サイクロン部１３０から排出された空気は、排出ガイド２８に沿って流動してから前記下部モータハウジング２７の貫通孔２７３を通過した後、前記流動ガイド２２内の第１空気流路２３２に沿って上昇する。そして、前記第１空気流路２３２の空気は前記プレフィルター２９を通過する。
【０２１６】
前記プレフィルター２９を通過した空気は、前記上部モータハウジング２７内の吸入モータ２０を通過する。空気は、前記インペラ２００によって前記吸入モータ２０の内部を流動した後、前記下部モータハウジング２８に排出される。そして、前記下部モータハウジング２８に排出された空気は、前記空気ガイド２７２によって方向転換されて前記第２空気流路２３４に流動する。
【０２１７】
そして、前記第２空気流路２３４に流動された空気は、前記フィルター５６０を通過した後に前記空気排出口５２２を通じて外部に排出される。
【０２１８】
本発明によると、空気が流動する流路は、本体２にのみ形成され、ハンドル部３には形成されない。したがって、ハンドル部３を前記本体２に結合させるとき、前記ハンドル部３と前記本体２との境界部のシーリングのための構造が必要でない。したがって、ハンドル部３を前記本体２に結合させるための構造が簡単になり、結合が容易であるという長所がある。
【０２１９】
図２０は、本発明の一実施例によるバッテリーがバッテリーハウジングから分離された様子を示す図であり、図２１は、本発明の一実施例によるバッテリーの斜視図であり、図２２は、本発明の一実施例によるバッテリーハウジングの結合溝を示す図である。
【０２２０】
図２０ないし図１４を参照すると、前記バッテリー４０は、示されていないバッテリーセルと、前記バッテリーセルを保護するフレーム４５０とを含むことができる。
【０２２１】
前記フレーム４５０の上側には突出部４６０が形成され、前記突出部４６０に端子４６２が配置され得る。
【０２２２】
前記バッテリー４０は、複数の結合部４７０、４８０をさらに含むことができる。前記複数の結合部４７０、４８０は、前記フレーム４５０の一側に配置される第１結合部４７０と、前記フレーム４５０の他側に配置される第２結合部４８０とを含むことができる。前記第１結合部４７０と前記第２結合部４８０とは、一例として互いに反対側に位置し得る。
【０２２３】
前記第１結合部４７０は、前記フレーム４５０に回転可能に結合されるフックであり得る。
【０２２４】
前記第１結合部４７０は、一例として前記バッテリー４０が前記バッテリーハウジング４１０に収容された状態で前記ヒンジ結合部４２０に結合され得る。したがって、前記ヒンジ結合部４２０をバッテリー結合部ともいえる。
【０２２５】
前記ヒンジ結合部４２０には、前記第１結合部４７０の一部が係止されるための係止リブ４２２が形成され得る。
【０２２６】
他の例として、前記ヒンジ結合部４２０が前記バッテリーハウジング４１０と一体に形成されることも可能であり、前記バッテリーハウジング４１０自体に前記係止リブ４２２が形成されることも可能である。
【０２２７】
前記第２結合部４８０は、前記フレーム４５０と一体に形成され、外力によって弾性変形され得るフックであり得る。
【０２２８】
前記バッテリーハウジング４１０の下側には、前記バッテリー４０が挿入されるための開口４１１が形成される。前記バッテリー４０が前記バッテリーハウジング４１０に収容された状態で前記第２結合部４８０の操作が可能なように、前記第２結合部４８０を外部に露出するための露出開口４１５が形成され得る。
【０２２９】
そして、前記バッテリーハウジング４１０において、前記露出開口４１５の上方には、前記第２結合部４８０が結合されるための結合溝４１６が形成され得る。
【０２３０】
前記バッテリー４０が前記バッテリーハウジング４１０に収容された状態で、前記塵埃容器５０と前記第１結合部４７０との間には、前記第１結合部４７０の操作のための空間４３０が形成される。
【０２３１】
したがって、ユーザは、前記空間４３０に指を挿入して、前記第１結合部４７０と前記係止リブ４２２との係止を解除することができる。また、ユーザは、前記バッテリーハウジング４１０の外側に露出した前記第２結合部４８０を操作して、前記第２結合部４８０と前記バッテリーハウジング４１０との結合を解除することができる。
【０２３２】
本発明によると、前記バッテリー４０が前記バッテリーハウジング４１０から分離され得るので、前記バッテリー４０のみを充電台に安着させて充電することができる。
【０２３３】
また、前記掃除機１が本体端子６００を含むので、前記バッテリー４０が前記バッテリーハウジング４１０に収容された状態で前記掃除機１を前記充電台に安着させることでバッテリー４０を充電することができる。
【０２３４】
図２３は、本発明の掃除機に吸入ノズルを連結して床を掃除する様子を示す図である。
【０２３５】
図２３を参照すると、本発明の掃除機１の吸入部５に吸入ノズル７１０が下側に連結された延長管７００が連結され得る。
【０２３６】
この状態でユーザは、前記吸入ノズル７１０を床に置いた状態で吸入ノズル７１０を移動させて掃除することができる。
【０２３７】
本発明において、吸入ノズル７１０を用いて掃除する場合、前記延長管７００と床がなす角度が略４５度の状態で前記延長管７００と床との角度が増加したり減少して掃除が行われ得る。
【０２３８】
図２３のような状態で、前記第１ボディー１０の最下端部を貫通する垂直線（ＶＬ）を基準として、前記吸入モータ２０と前記バッテリー４０は互いに反対側に位置し得る。すなわち、前記垂直線（ＶＬ）の一側（一例として垂直線（ＶＬ）の前方）に前記吸入モータ２０が位置し、他側（一例として垂直線（ＶＬ）の後方）に前記バッテリー４０が配置される。そして、前記垂直線（ＶＬ）は前記ハンドル３０を通過することができる。
【０２３９】
また、図２３のような状態で、床からの前記吸入モータ２０および前記バッテリー４０の高さはほぼ同一である。
【０２４０】
したがって、前記ハンドル３０を把持した状態で床を掃除するとき、掃除機の重さがハンドルを把持したユーザの手を基準として前後で均衡して重さのバランスをとるようになる。この場合、ユーザが少ない力で前記掃除機１を用いて掃除することができ、ユーザの手首に無理が生じることが防止され得る。
【０２４１】
また、図２３のように、床の掃除過程において前記フィルター機構５０は前記垂直線（ＶＬ）の前方に位置し、ハンドルをつかんだユーザの手は前記垂直線（ＶＬ）の後方に位置する。したがって、前記フィルター機構５０から排出された空気は前記ハンドル３０から遠ざかる方向に流動するので、前記フィルター機構５０から排出された空気がユーザの手に流動することが防止され得る。
【０２４２】
もちろん、前記延長管７００と床がなす角度に応じて、垂直線（ＶＬ）を基準として前記吸入モータ２０の一部のみが前記バッテリー４０の反対側に位置することも可能である。このような場合は窓枠やソファなどの特殊な空間を掃除する場合である。
【０２４３】
図２４は、本発明の他の実施例による掃除機を示す図である。
【０２４４】
本実施例は、他の部分においては以前の実施例と同一であり、ただし、排出カバーの形状において差がある。したがって、以下では本実施例の特徴的な部分のみについて説明することにする。
【０２４５】
図２４を参照すると、本実施例のフィルター機構８１１ａは、空気排出をカイドする流動ガイド８１３ａを含むことができる。
【０２４６】
具体的に、前記フィルター機構８１１ａの円周方向に沿って複数の流動ガイド８１３ａが離隔して配置される。そして、前記複数の流動ガイド８１３ａ同士の離隔した空間が空気排出口８１３ａの役割をする。
【０２４７】
前記複数の流動ガイド８１３ａは、垂直線を基準として傾斜するように配置され得る。
【０２４８】
本実施例によっても、吸入ノズルを用いて床を掃除する過程において、空気排出口８１２ａから排出された空気がユーザ側に流動することが防止され得る。
【０２４９】
また、前記フィルター機構８１１ａが前記掃除機の上側に配置されるので、前記空気排出口８１２ａから排出される空気によって掃除機周辺の塵埃が飛散することが防止され得る。
【０２５０】
図２５は、本発明のまた他の実施例による掃除機内における空気の流動を示す図である。
【０２５１】
本実施例は、他の部分においては以前の実施例と同一であり、ただし、吸入モータのインペラ配置において差がある。したがって、以下では本実施例の特徴的な部分のみについて説明することにする。
【０２５２】
図２５を参照すると、本実施例の吸入モータ２０ａは、インペラ２００ａが下側に位置するようにモータハウジング内に配置される。すなわち、前記吸入モータ２０ａの空気入口が第２サイクロン部１３０を向くように配置され得る。
【０２５３】
本実施例によると、第２サイクロン部１３０から排出された空気は直ちに上昇して前記インペラ２００ａ側に流動し、前記インペラ２００ａを通過した空気は再び上昇して前記掃除機から排出され得る。
【０２５４】
このような吸入モータの配置によると、前記第２サイクロン部１３０から排出された空気が前記掃除機の外部に排出されるまでの空気流路が最小化されるので、流動損失が最小化されるという長所がある。
【０２５５】
図２６は、本発明のまた他の実施例による掃除機の下側構造を示す図であり、図２７は、本発明のまた他の実施例によるボディーカバーの斜視図であり、図２８は、図２６でボディーカバーが回転した状態を示す図である。
【０２５６】
図２６ないし図２８を参照すると、前記ボディーカバー９２０は、回転動作によって前記第１ボディー９１０の下側を開閉することができる。
【０２５７】
前記ボディーカバー９２０は、回転のためのヒンジ９２２を含むことができる。前記ヒンジ９２２は、前記第２ボディー９１０に結合されるか、または前記第２ボディー９１０と別に存在するヒンジ結合部９２０に結合され得る。前記ヒンジ結合部９２０が前記第２ボディー９１０と別の構成である場合、前記ヒンジ結合部９２０は前記第２ボディー９１０に結合され得る。
【０２５８】
前記ボディーカバー９２０のヒンジ９２２は、前記サイクロン流動の軸Ａ２と前記バッテリー４０との間に位置し得る。
【０２５９】
したがって、前記ヒンジ９２２によって前記ボディーカバー９２０が回転するとき、図２７のように前記ボディーカバー９２０はユーザと近づく方向に回転する。
【０２６０】
前記ボディーカバー９２０がユーザと近づく方向に回転すると、前記ボディーカバー９２０が回転して前記第２ボディー９１０内に貯蔵された塵埃が落下されるとき、前記ボディーカバー９２０は塵埃がユーザ側に流動することを遮断する。
【０２６１】
前記ボディーカバー９２０には、ユーザの操作によって移動でき、前記第２ボディー９１０に結合されるための結合レバー９５０を備えることができる。前記結合レバー９５０は、一例として前記吸入部５の長さ方向軸と平行な方向に前記ボディーカバー９５０に結合され得る。
【０２６２】
前記ボディーカバー９２０は、前記結合レバー９５０の移動をガイドでき、前記結合レバー９５０が下方に離脱することを防止する第１ガイド９２４を含むことができる。前記第１ガイド９２４は、前記ボディーカバー９２０の床から下方に延び、前記第１ガイド９２４の少なくとも一部は、前記結合レバー９５０の下側に位置し得る。
【０２６３】
前記ボディーカバー９２０は、前記結合レバー９５０の移動をガイドでき、前記結合レバー９５０が下方に離脱することを防止するための第２ガイド９２６をさらに含むことができる。前記第２ガイド９２６は、前記ボディーカバー９２０の側面から突出し、前記結合レバー９５０を貫通することができる。
【０２６４】
このとき、前記第２ガイド９２６は、前記吸入部５の長さ方向軸と平行な方向に前記結合レバー９５０を貫通することができる。前記結合レバー９５０には前記第２ガイド９５４が貫通するための孔９５６が形成され得る。
【０２６５】
前記結合レバー９５０は、ユーザが容易に前記結合レバー９５０を操作することができるように指がかかるための輪９５２を含むことができる。このとき、ユーザが輪９５２に容易に接近できるように、前記輪９５２は、前記ボディーカバー９２０のヒンジ９２２と前記サイクロン流動の軸Ａ２との間に位置し得る。
【０２６６】
前記結合レバー９５０は結合フック９５６を含み、前記第２ボディー９１０は前記結合フック９５６が結合されるフック結合スロット９１４を含むことができる。
【０２６７】
前記結合フック９５６は、前記第２ボディー９１０の内側に位置した状態で前記フック結合スロット９１４に結合され得る。示されてはいないが、前記ボディーカバー９２０と前記結合レバー９５０との間には、前記結合フック９５６が前記フック結合スロット９１４に係止された状態が維持されるように、前記結合レバー９５０に弾性力を提供する弾性部材が配置され得る。
【０２６８】
ユーザが前記結合レバー９５０の輪９５２をユーザ側に引くと、前記フック結合スロット９１４から前記結合フック９５６が抜けるようになり、前記ボディーカバー９２０が回転することができる。
【０２６９】
一方、前記ヒンジ結合部９２０は、前記バッテリー４０が前記バッテリーハウジング４１０に装着された状態で前記バッテリー４０を充電させるための本体端子１０００をさらに含むことができる。前記掃除機１を示されていない充電台に安着させると、前記充電対の端子が前記本体端子１０００と接触することができる。
【０２７０】
前記本体端子１０００は、前記ヒンジ結合部９２０の下面に位置し、前記掃除機１を床に置いた状態で床と離隔することができる。この場合、前記本体端子１０００の損傷が防止され得る。
【図１】
2019508117.tif 000003
【図２】
2019508117.tif 000004
【図３】
2019508117.tif 000005
【図４】
2019508117.tif 000006
【図５】
2019508117.tif 000007
【図６】
2019508117.tif 000008
【図７】
2019508117.tif 000009
【図８】
2019508117.tif 000010
【図９】
2019508117.tif 000011
【図１０】
2019508117.tif 000012
【図１１】
2019508117.tif 000013
【図１２】
2019508117.tif 000014
【図１３】
2019508117.tif 000015
【図１４】
2019508117.tif 000016
【図１５】
2019508117.tif 000017
【図１６】
2019508117.tif 000018
【図１７】
2019508117.tif 000019
【図１８】
2019508117.tif 000020
【図１９】
2019508117.tif 000021
【図２０】
2019508117.tif 000022
【図２１】
2019508117.tif 000023
【図２２】
2019508117.tif 000024
【図２３】
2019508117.tif 000025
【図２４】
2019508117.tif 000026
【図２５】
2019508117.tif 000027
【図２６】
2019508117.tif 000028
【図２７】
2019508117.tif 000029
【図２８】
2019508117.tif 000030
【国際調査報告】
2019508117.tif 000031
2019508117.tif 000032
2019508117.tif 000033
2019508117.tif 000034